(57)【特許請求の範囲】
【請求項１】
無線通信システム上で制御情報をＵＥ（ｕｓｅｒ ｅｑｕｉｐｍｅｎｔ）へ提供する基地局において実施される方法であって、
前記制御情報を含むＥ−ＰＤＣＣＨ（ｅｎｈａｎｃｅｄ ｐｈｙｓｉｃａｌ ｄｏｗｎ ｌｉｎｋ ｃｏｎｔｒｏｌ ｃｈａｎｎｅｌ）をスクランブルし、
前記Ｅ−ＰＤＣＣＨを変調し、
前記Ｅ−ＰＤＣＣＨを、割り当てられたＰＲＢ（ｐｈｙｓｉｃａｌ ｒｅｓｏｕｒｃｅ ｂｌｏｃｋ）へマッピングし、
前記Ｅ−ＰＤＣＣＨを前記ＵＥへ送信し、
前記無線通信システムのプライマリキャリア成分上で、前記Ｅ−ＰＤＣＣＨを前記割り当てられたＰＲＢへマッピングし、
ＰＤＳＣＨ（ｐｈｙｓｉｃａｌ ｄｏｗｎ ｌｉｎｋ ｓｈａｒｅｄ ｃｈａｎｎｅｌ）及びＰＵＳＣＨ（ｐｈｙｓｉｃａｌ ｕｐｌｉｎｋ ｓｈａｒｅｄ ｃｈａｎｎｅｌ）の少なくとも一方の上で、フルクロスキャリアスケジューリングを提供する、ことを含み、
前記ＵＥは、前記制御情報に従って、前記無線通信システム上で通信し、
局所型の伝送及び分散型の伝送の両者が、前記Ｅ−ＰＤＣＣＨに対しサポートされる、
方法。
【請求項２】
請求項１において、
前記Ｅ−ＰＤＣＣＨを前記割り当てられたＰＲＢへマッピングすることが、動的に設定される、
ことを特徴とした方法。
【請求項３】
請求項２において、
前記動的な設定は、サブフレーム毎に行われる、
ことを特徴とした方法。
【請求項４】
請求項１〜３のいずれか一項において、
前記無線通信システムの単一のキャリア成分を用いて、前記Ｅ−ＰＤＣＣＨを前記割り当てられたＰＲＢへマッピングする、
ことをさらに含む方法。
【請求項５】
請求項４において、
前記単一のキャリア成分のイントラキャリアマッピングを用いて、前記Ｅ−ＰＤＣＣＨを前記割り当てられたＰＲＢへマッピングする、
ことをさらに含む方法。
【請求項６】
請求項１〜５のいずれか一項において、
前記無線通信システムのセカンダリキャリア成分上で、前記Ｅ−ＰＤＣＣＨを前記割り当てられたＰＲＢへマッピングし、
ＰＤＳＣＨ及びＰＵＳＣＨの少なくとも一方の上で、セミクロスキャリアスケジューリングを提供する、
ことをさらに含む方法。
【請求項７】
請求項１〜６のいずれか一項において、
前記ＵＥ用のＥ−ＤＣＩ（ｅｎｈａｎｃｅｄ ｄｏｗｎｌｉｎｋ ｃｏｎｔｒｏｌ ｉｎｆｏｒｍａｔｉｏｎ）を含むガイドＰＤＣＣＨを、プライマリキャリア成分の共通サーチ空間中にマッピングする、ことをさらに含み、
前記ＵＥは、前記無線通信システムのプライマリキャリア成分及びセカンダリキャリア成分の少なくとも一方の上で、前記割り当てられたＰＲＢ上の前記Ｅ−ＰＤＣＣＨをデコードする、
ことを特徴とした方法。
【請求項８】
請求項７において、
前記ガイドＰＤＣＣＨは、ＣＲＣ（ｃｙｃｌｉｃ ｒｅｄｕｎｄａｎｃｙ ｃｈｅｃｋ）を含み、
前記ＣＲＣは、割り当てられたＥ−ＲＮＴＩ（ｅｎｈａｎｃｅｄ ｄｅｄｉｃａｔｅｄ ｃｈａｎｎｅｌ ｒａｄｉｏ ｎｅｔｗｏｒｋ ｔｅｍｐｏｒａｒｙ ｉｄｅｎｔｉｆｉｅｒ）を用いてスクランブルされている、
ことを特徴とした方法。
【請求項９】
請求項８において、
前記Ｅ−ＲＮＴＩを、前記無線通信システム内のＵＥへ割り当てる、
ことをさらに含む方法。
【請求項１０】
請求項９において、
Ｃ−ＲＮＴＩ（ｃｅｌｌ ｒａｄｉｏ ｎｅｔｗｏｒｋ ｔｅｍｐｏｒａｒｙ ｉｄｅｎｔｉｆｉｅｒ）を前記ＵＥへ割り当て、
前記Ｅ−ＲＮＴＩを前記ＵＥへ割り当てる、ことをさらに含み、
前記ＵＥは、ＰＤＳＣＨ及びＰＵＳＣＨの少なくとも一方を受信すると共に、前記ＤＣＩに従って、前記ＰＤＳＣＨ及びＰＵＳＣＨの少なくとも一方をデコードする、
ことを特徴とした方法。
【請求項１１】
請求項１〜１０のいずれか一項において、
前記Ｅ−ＰＤＣＣＨをエンコードして、Ｅ−ＰＤＣＣＨ符号化構造を形成する、ことをさらに含み、
前記エンコードは、
１）前記制御情報に関するＰＤＣＣＨ符号化チェーン機能、
２）前記ＰＤＣＣＨ符号化チェーン機能を向上させるための、ＣＣＥ（Ｃｏｎｔｒｏｌ Ｃｈａｎｎｅｌ Ｅｌｅｍｅｎｔ）アグリゲーション及びＥ−ＰＤＣＣＨ多重化、
３）ＭＵ−ＭＩＭＯ（ｍｕｌｔｉ ｕｓｅｒ ｍｕｌｔｉｐｌｅ ｉｎｐｕｔ ｍｕｌｔｉｐｌｅ ｏｕｔｐｕｔ）に適応するためのスクランブリング、
４）Ｅ−ＰＤＣＣＨスループットを改善するための高次の変調方式、
５）前記Ｅ−ＰＤＣＣＨの時間及び周波数ゲインを改善するためのインタリービング、並びに
６）前記Ｅ−ＰＤＣＣＨをＤＭＲＳ（ｄｅｍｏｄｕｌａｔｉｏｎ ｒｅｆｅｒｅｎｃｅ ｓｉｇｎａｌ）及びビームフォーミングを伴って運用可能にするための、レイヤマッピング及びプリコーディング、
の少なくとも一つを行うことによりなされる、
ことを特徴とした方法。
【請求項１２】
無線通信システム上で基地局から制御情報を受信するＵＥ（ｕｓｅｒ ｅｑｕｉｐｍｅｎｔ）において実施される方法であって、
Ｅ−ＰＤＣＣＨ（ｅｎｈａｎｃｅｄ ｐｈｙｓｉｃａｌ ｄｏｗｎ ｌｉｎｋ ｃｏｎｔｒｏｌ ｃｈａｎｎｅｌ）を前記基地局から受信し、
前記制御情報に従って、前記無線通信システム上で通信する、ことを含み、
前記Ｅ−ＰＤＣＣＨは、前記制御情報を含み、
前記Ｅ−ＰＤＣＣＨは、前記基地局によって、スクランブル且つ変調されると共に、前記基地局によって、前記無線通信システムのプライマリキャリア成分上で、割り当てられたＰＲＢ（ｐｈｙｓｉｃａｌ ｒｅｓｏｕｒｃｅ ｂｌｏｃｋ）へマッピングされ、
フルクロスキャリアスケジューリングが、前記基地局によって、ＰＤＳＣＨ（ｐｈｙｓｉｃａｌ ｄｏｗｎ ｌｉｎｋ ｓｈａｒｅｄ ｃｈａｎｎｅｌ）及びＰＵＳＣＨ（ｐｈｙｓｉｃａｌ ｕｐｌｉｎｋ ｓｈａｒｅｄ ｃｈａｎｎｅｌ）の少なくとも一方の上で提供され、
局所型の伝送及び分散型の伝送の両者が、前記Ｅ−ＰＤＣＣＨに対しサポートされる、
方法。
【請求項１３】
制御情報を基地局からＵＥ（ｕｓｅｒ ｅｑｕｉｐｍｅｎｔ）へ提供する無線通信システムにおいて実施される方法であって、
前記制御情報を含むＥ−ＰＤＣＣＨ（ｅｎｈａｎｃｅｄ ｐｈｙｓｉｃａｌ ｄｏｗｎ ｌｉｎｋ ｃｏｎｔｒｏｌ ｃｈａｎｎｅｌ）をスクランブルし、
前記Ｅ−ＰＤＣＣＨを変調し、
前記Ｅ−ＰＤＣＣＨを、前記無線通信システムのプライマリキャリア成分上で、割り当てられたＰＲＢ（ｐｈｙｓｉｃａｌ ｒｅｓｏｕｒｃｅ ｂｌｏｃｋ）へマッピングし、
前記Ｅ−ＰＤＣＣＨを、前記基地局から前記ＵＥへ送信し、
前記制御情報に従って、前記無線通信システム上で通信し、
ＰＤＳＣＨ（ｐｈｙｓｉｃａｌ ｄｏｗｎ ｌｉｎｋ ｓｈａｒｅｄ ｃｈａｎｎｅｌ）及びＰＵＳＣＨ（ｐｈｙｓｉｃａｌ ｕｐｌｉｎｋ ｓｈａｒｅｄ ｃｈａｎｎｅｌ）の少なくとも一方の上で、フルクロスキャリアスケジューリングを提供する、ことを含み、
局所型の伝送及び分散型の伝送の両者が、前記Ｅ−ＰＤＣＣＨに対しサポートされる、
方法。
【請求項１４】
無線通信システム上で制御情報をＵＥ（ｕｓｅｒ ｅｑｕｉｐｍｅｎｔ）へ提供する基地局であって、
前記制御情報を含むＥ−ＰＤＣＣＨ（ｅｎｈａｎｃｅｄ ｐｈｙｓｉｃａｌ ｄｏｗｎ ｌｉｎｋ ｃｏｎｔｒｏｌ ｃｈａｎｎｅｌ）をスクランブルするスクランブリング部と、
前記Ｅ−ＰＤＣＣＨを変調する変調部と、
前記Ｅ−ＰＤＣＣＨを、前記無線通信システムのプライマリキャリア成分上で、割り当てられたＰＲＢ（ｐｈｙｓｉｃａｌ ｒｅｓｏｕｒｃｅ ｂｌｏｃｋ）へマッピングするマッピング部と、
前記Ｅ−ＰＤＣＣＨを前記ＵＥへ送信する送信機と、
ＰＤＳＣＨ（ｐｈｙｓｉｃａｌ ｄｏｗｎ ｌｉｎｋ ｓｈａｒｅｄ ｃｈａｎｎｅｌ）及びＰＵＳＣＨ（ｐｈｙｓｉｃａｌ ｕｐｌｉｎｋ ｓｈａｒｅｄ ｃｈａｎｎｅｌ）の少なくとも一方の上で、フルクロスキャリアスケジューリングを提供する提供部と、を備え、
前記ＵＥは、前記制御情報に従って、前記無線通信システム上で通信し、
局所型の伝送及び分散型の伝送の両者が、前記Ｅ−ＰＤＣＣＨに対しサポートされる、
基地局。
【請求項１５】
無線通信システム上で基地局から制御情報を受信するＵＥ（ｕｓｅｒ ｅｑｕｉｐｍｅｎｔ）であって、
Ｅ−ＰＤＣＣＨ（ｅｎｈａｎｃｅｄ ｐｈｙｓｉｃａｌ ｄｏｗｎ ｌｉｎｋ ｃｏｎｔｒｏｌ ｃｈａｎｎｅｌ）を前記基地局から受信する受信部と、
前記制御情報に従って、前記無線通信システム上で通信するコントローラと、を備え、
前記Ｅ−ＰＤＣＣＨは、前記制御情報を含み、
前記Ｅ−ＰＤＣＣＨは、前記基地局によって、スクランブル且つ変調されると共に、前記基地局によって、前記無線通信システムのプライマリキャリア成分上で、割り当てられたＰＲＢ（ｐｈｙｓｉｃａｌ ｒｅｓｏｕｒｃｅ ｂｌｏｃｋ）へマッピングされ、
フルクロスキャリアスケジューリングが、前記基地局によって、ＰＤＳＣＨ（ｐｈｙｓｉｃａｌ ｄｏｗｎ ｌｉｎｋ ｓｈａｒｅｄ ｃｈａｎｎｅｌ）及びＰＵＳＣＨ（ｐｈｙｓｉｃａｌ ｕｐｌｉｎｋ ｓｈａｒｅｄ ｃｈａｎｎｅｌ）の少なくとも一方の上で提供され、
局所型の伝送及び分散型の伝送の両者が、前記Ｅ−ＰＤＣＣＨに対しサポートされる、
ＵＥ。
【発明の詳細な説明】
【技術分野】
【０００１】
本発明は、ＬＴＥ(Ｌｏｎｇ Ｔｅｒｍ Ｅｖｏｌｕｔｉｏｎ)無線通信システム上でｅＮｏｄｅＢとデータ通信するＵＥ(Ｕｓｅｒ Ｅｑｕｉｐｍｅｎｔｓ)へ制御情報を提供する方法に関し、特に、ＵＥをＬＴＥ無線通信システム上でｅＮｏｄｅＢとデータ通信可能に設定するために、Ｅ−ＰＤＣＣＨ(Ｅｎｈａｎｃｅｄ Ｐｈｙｓｉｃａｌ Ｄｏｗｎｌｉｎｋ Ｃｏｎｔｒｏｌ Ｃｈａｎｎｅｌｓ)を用いることに関する。
【背景技術】
【０００２】
ＬＴＥ(Ｌｏｎｇ Ｔｅｒｍ Ｅｖｏｌｕｔｉｏｎ)リリース８、９及び１０等の既存のＬＴＥ無線通信システムにおいて、ＬＴＥシステムにおけるｅＮｏｄｅＢは、どのＵＥ(Ｕｓｅｒ Ｅｑｕｉｐｍｅｎｔ)へアップリンクリソースを与えるべきか、どのＵＥがダウンリンクにおける伝送のためにスケジュールされるべきかを決定し、これに応じて、ＵＥへ適切な制御情報を提供する。一例を挙げると、ｅＮｏｄｅＢは、ＵＥにとって必要且つサポートとなり、当該制御情報を構成するＰＤＣＣＨ(Ｐｈｙｓｉｃａｌ Ｄｏｗｎｌｉｎｋ Ｃｏｎｔｒｏｌ Ｃｈａｎｎｅｌ)の制御チャネルリソース量を決定する。よって、制御チャネルリソースの更なる活用が、システムケイパビリティを改善するために望まれている。
【発明の概要】
【発明が解決しようとする課題】
【０００３】
例えば、ＬＴＥリリース１１システム等のＬＴＥ通信システムにおいては、ＰＤＣＣＨ(Ｐｈｙｓｉｃａｌ Ｄｏｗｎｌｉｎｋ Ｃｏｎｔｒｏｌ Ｃｈａｎｎｅｌｓ)に加え、Ｅ−ＰＤＣＣＨ(Ｅｎｈａｎｃｅｄ Ｐｈｙｓｉｃａｌ Ｄｏｗｎｌｉｎｋ Ｃｏｎｔｒｏｌ Ｃｈａｎｎｅｌｓ)についての広範囲に亘る議論が既に行われている。この議論は、Ｅ−ＰＤＣＣＨを次の要件を満たすよう設計するとの明確な目標をもたらした。
１．制御チャネル容量の増加をサポートする
２．周波数領域ＩＣＩＣ(Ｉｎｔｅｒ−Ｃｅｌｌ Ｉｎｔｅｒｆｅｒｅｎｃｅ Ｃｏｎｔｒｏｌ)をサポートする
３．制御チャネルリソースの改善された空間的再利用を達成する
４．ビームフォーミング及び／又はダイバシチをサポートする
５．新たなキャリアタイプ上、且つＭＢＳＦＮ(Ｍｕｌｔｉｃａｓｔ−Ｂｒｏａｄｃａｓｔ Ｓｉｎｇｌｅ Ｆｒｅｑｕｅｎｃｙ Ｎｅｔｗｏｒｋ)サブフレームにおいて運用する
６．従来ＵＥ(Ｕｓｅｒ Ｅｑｕｉｐｍｅｎｔ)と同一のキャリア上で共存する
【課題を解決するための手段】
【０００４】
本発明の態様においては、ＬＴＥ(Ｌｏｎｇ Ｔｅｒｍ Ｅｖｏｌｕｔｉｏｎ)無線通信システム上でｅＮｏｄｅＢとデータ通信するＵＥに対して制御情報を提供する方法が提供され、この方法は、ＵＥをＬＴＥ無線通信システム上でｅＮｏｄｅＢとデータ通信できるよう設定するための前記制御情報を含む少なくとも一つのＥ−ＰＤＣＣＨ(Ｅｎｈａｎｃｅｄ Ｐｈｙｓｉｃａｌ Ｄｏｗｎｌｉｎｋ Ｃｏｎｔｒｏｌ Ｃｈａｎｎｅｌ)をエンコードし、前記少なくとも一つのＥ−ＰＤＣＣＨを少なくとも一つの割り当てられたＰＲＢ(Ｐｈｙｓｉｃａｌ Ｒｅｓｏｕｒｃｅ Ｂｌｏｃｋ)へマッピングし、前記少なくとも一つの割り当てられたＰＲＢへマッピングされた前記少なくとも一つのＥ−ＰＤＣＣＨを前記ＵＥへ伝え、以て前記ＵＥを、前記制御情報に基づき、前記ＬＴＥ無線通信システム上で前記データ通信が行えるよう設定可能にすることを含む。
【０００５】
実施形態において、前記ｅＮｏｄｅＢは、自身とデータ通信する各ＵＥのダウンリンク制御のために、前記Ｅ−ＰＤＣＣＨをエンコードして前記ＰＲＢへマッピングする。前記Ｅ−ＰＤＣＣＨに加えて、ＰＤＣＣＨ(Ｐｈｙｓｉｃａｌ Ｄｏｗｎｌｉｎｋ Ｃｏｎｔｒｏｌ Ｃｈａｎｎｅｌ)もまた、ダウンリンク制御情報、並びにスケジューリングダウンリンク情報、及び一の配置においては、前記ｅＮｏｄｅＢとのデータ通信のためのスケジューリングアップリンク情報を含む。前記Ｅ−ＰＤＣＣＨは、前記ＰＤＣＣＨのケイパビリティを拡張すると共に、一の配置においては、前記ＵＥに対し、アップリンクスケジューリング情報及びダウンリンクＬ１／Ｌ２制御シグナリングの両者を、ＤＣＩ(ｄｏｗｎｌｉｎｋ ｃｏｎｔｒｏｌ ｉｎｆｏｒｍａｔｉｏｎ)の形式で搬送する。
【０００６】
実施形態において、前記ＬＴＥ(Ｌｏｎｇ Ｔｅｒｍ Ｅｖｏｌｕｔｉｏｎ)無線通信システムは、リリース１１ ＬＴＥである。当業者にとっては当然のことながら、前記ＵＥは、他のリリースのＬＴＥ、特にリリース１１を超えるＬＴＥ上で動作可能である。よって、当該実施形態では、前記方法は、リリース１１ ＬＴＥをサポートするＵＥにおける制御チャネルのためのシステム容量を、リリース８、リリース９及びリリース１０ ＵＥを現在サポートする制御チャネル容量に対する影響を及ぼすこと無く改善する(例えば、制御チャネル容量を増加させる)。また、実施形態において、前記方法は、リリース１１制御チャネル及び従来の制御チャネルのために同一の伝送モードを有するとの問題を、リリース１１制御チャネルを新たな伝送モードとして提供し、以てパフォーマンスを改善することによって解決する。前記方法は、例えば、前記Ｅ−ＰＤＣＣＨ符号化構造に基づいて、制御チャネルリソースの改善された空間的再利用を達成可能であり、リリース１１でサポートされる高次の変調方式、ビームフォーミング、Ｍｕｌｔｉ Ｕｓｅｒ Ｍｕｌｔｉｐｌｅ Ｉｎｐｕｔ Ｍｕｌｔｉｐｌｅ Ｏｕｔｐｕｔ ＭＵ−ＭＩＭＯ通信システム(例えば、２コードワード)や、マルチレイヤといった技術をサポート可能である。
【０００７】
実施形態において、前記方法は、前記ＤＣＩ(ｄｏｗｎｌｉｎｋ ｃｏｎｔｒｏｌ ｉｎｆｏｒｍａｔｉｏｎ)に関するＰＤＣＣＨ符号化チェーン機能、前記ＰＤＣＣＨ符号化チェーン機能を向上させるための、ＣＣＥ(Ｃｏｎｔｒｏｌ Ｃｈａｎｎｅｌ Ｅｌｅｍｅｎｔｓ)アグリゲーション及びＥ−ＰＤＣＣＨ多重化、ＭＵ−ＭＩＭＯ(Ｍｕｌｔｉ Ｕｓｅｒ Ｍｕｌｔｉｐｌｅ Ｉｎｐｕｔ Ｍｕｌｔｉｐｌｅ Ｏｕｔｐｕｔ） ＬＴＥ無線通信システムに適応するためのスクランブリング、Ｅ−ＰＤＣＣＨスループットを改善するための高次の変調方式、前記変調ステップにより変調された前記少なくとも一つのＥ−ＰＤＣＣＨの時間及び周波数ゲインを改善するためのインタリービング、並びに前記少なくとも一つのＥ−ＰＤＣＣＨをＤＭＲＳ(Ｄｅｍｏｄｕｌａｔｉｏｎ Ｒｅｆｅｒｅｎｃｅ Ｓｉｇｎａｌ)及びビームフォーミングを伴って運用可能にするための、レイヤマッピング及びプリコーディングを行うことにより、前記少なくとも一つのＥ−ＰＤＣＣＨ(Ｅｎｈａｎｃｅｄ Ｐｈｙｓｉｃａｌ Ｄｏｗｎｌｉｎｋ Ｃｏｎｔｒｏｌ Ｃｈａｎｎｅｌ)をエンコードしてＥ−ＰＤＣＣＨ符号化構造を形成する、ことをさらに含む。
【０００８】
実施形態において、前記Ｅ−ＰＤＣＣＨは、前記少なくとも一つの割り当てられたＰＲＢへマッピングされると共に、種々の方法に従って前記ＵＥへ伝えられる。
【０００９】
実施形態において、前記方法は、前記ＬＴＥ無線通信システムの単一のキャリア成分を用いて、前記少なくとも一つのＥ−ＰＤＣＣＨを前記少なくとも一つの割り当てられたＰＲＢへマッピングする、ことをさらに含む。
【００１０】
実施形態において、前記方法は、前記単一のキャリア成分のイントラキャリアマッピングを用いて、前記少なくとも一つのＥ−ＰＤＣＣＨを前記少なくとも一つの割り当てられたＰＲＢ(Ｐｈｙｓｉｃａｌ Ｒｅｓｏｕｒｃｅ Ｂｌｏｃｋ)へマッピングする、ことをさらに含む。
【００１１】
実施形態において、前記方法は、前記ＬＴＥ無線通信システムのプライマリキャリア成分上で、前記少なくとも一つのＥ−ＰＤＣＣＨを前記少なくとも一つの割り当てられたＰＲＢ(Ｐｈｙｓｉｃａｌ Ｒｅｓｏｕｒｃｅ Ｂｌｏｃｋ)へマッピングして、ＰＤＳＣＨ(Ｐｈｙｓｉｃａｌ Ｄｏｗｎ ｌｉｎｋ Ｓｈａｒｅｄ Ｃｈａｎｎｅｌ)及び／又はＰＵＳＣＨ(Ｐｈｙｓｉｃａｌ Ｕｐｌｉｎｋ Ｓｈａｒｅｄ Ｃｈａｎｎｅｌ)上で、フルクロスキャリアスケジューリングを提供する、ことをさらに含む。
【００１２】
実施形態において、前記方法は、前記ＬＴＥ無線通信システムのセカンダリキャリア成分上で、前記少なくとも一つのＥ−ＰＤＣＣＨを前記少なくとも一つの割り当てられたＰＲＢ(Ｐｈｙｓｉｃａｌ Ｒｅｓｏｕｒｃｅ Ｂｌｏｃｋ)へマッピングして、ＰＤＳＣＨ(Ｐｈｙｓｉｃａｌ Ｄｏｗｎ ｌｉｎｋ Ｓｈａｒｅｄ Ｃｈａｎｎｅｌ)及び／又はＰＵＳＣＨ(Ｐｈｙｓｉｃａｌ Ｕｐｌｉｎｋ Ｓｈａｒｅｄ Ｃｈａｎｎｅｌ)上で、セミクロスキャリアスケジューリングを提供する、ことをさらに含む。
【００１３】
実施形態において、前記方法は、前記ＬＴＥ無線通信システムのプライマリキャリア成分上で、前記少なくとも一つのＥ−ＰＤＣＣＨを前記少なくとも一つの割り当てられたＰＲＢ(Ｐｈｙｓｉｃａｌ Ｒｅｓｏｕｒｃｅ Ｂｌｏｃｋ)へマッピングして、ＰＤＳＣＨ(Ｐｈｙｓｉｃａｌ Ｄｏｗｎ ｌｉｎｋ Ｓｈａｒｅｄ Ｃｈａｎｎｅｌ)及び／又はＰＵＳＣＨ(Ｐｈｙｓｉｃａｌ Ｕｐｌｉｎｋ Ｓｈａｒｅｄ Ｃｈａｎｎｅｌ)上で、イントラキャリア且つクロスキャリアスケジューリングを提供する、ことをさらに含む。
【００１４】
実施形態において、前記方法は、前記ＬＴＥ無線通信システムのプライマリキャリア成分及びセカンダリキャリア成分上で、複数のＥ−ＰＤＣＣＨを複数の割り当てられたＰＲＢ(Ｐｈｙｓｉｃａｌ Ｒｅｓｏｕｒｃｅ Ｂｌｏｃｋｓ)へマッピングして、ＰＤＳＣＨ(Ｐｈｙｓｉｃａｌ Ｄｏｗｎ ｌｉｎｋ Ｓｈａｒｅｄ Ｃｈａｎｎｅｌ)及び／又はＰＵＳＣＨ(Ｐｈｙｓｉｃａｌ Ｕｐｌｉｎｋ Ｓｈａｒｅｄ Ｃｈａｎｎｅｌ)のイントラキャリアスケジューリング及びクロスキャリアスケジューリングの両者を提供する、ことをさらに含む。
【００１５】
実施形態において、上述した割当ＰＲＢ(ｓ)へのＥ−ＰＤＣＣＨの異なるマッピング方法は、サブフレーム毎に動的に設定可能である。一の配置において、例えば、前記マッピングは、クロスキャリアスケジューリングを伴う若しくは伴わない非キャリアアグリゲーション及びキャリアアグリゲーションを含む、ＬＴＥリリース８、９及び１０等の既存の従来システム上での割当ＰＲＢへの時間−周波数マッピングであり、拡張キャリア及びキャリアセグメントを含む追加のキャリアタイプへ適用可能である。加えて、Ｅ−ＰＤＣＣＨのための割当ＰＲＢは、局所型のマッピング及び分散型のマッピングの両者に利用可能である。
【００１６】
実施形態において、前記ＬＴＥ無線通信システムは、前記ｅＮｏｄｅＢによりサポートされるＰｃｅｌｌ(Ｐｒｉｍａｒｙ ｃｅｌｌ)やＳＣｅｌｌ(Ｓｅｃｏｎｄａｒｙ ｃｅｌｌ)等の１以上のセルを含み、前記Ｅ−ＰＤＣＣＨは、どのセルをｅＮｏｄｅＢとＵＥの間のＬ１データ通信に用いるべきかを示す情報を含む。これに加えて又は代えて、前記ＰＤＣＣＨは、どのセルをｅＮｏｄｅＢとＵＥの間のＥ−ＰＤＣＣＨ通信に用いるべきかを示す情報を含む。
【００１７】
実施形態において、前記方法は、周波数領域ＩＣＩＣ(Ｉｎｔｅｒ−Ｃｅｌｌ Ｉｎｔｅｒｆｅｒｅｎｃｅ Ｃｏｎｔｒｏｌ)をセル間干渉を軽減するために適用可能にすると共に、時間ダイバシチ及び周波数ダイバシチの両者を達成可能にする。
【００１８】
実施形態において、前記ＵＥは、ＰＤＳＣＨ(Ｐｈｙｓｉｃａｌ Ｄｏｗｎ ｌｉｎｋ Ｓｈａｒｅｄ Ｃｈａｎｎｅｌ)を受信し、並びに／又はガイドＰＤＣＣＨ及びＥ−ＰＤＣＣＨを用いて、前記Ｐｃｅｌｌ(Ｐｒｉｍａｒｙ Ｃｅｌｌ)、前記ＳＣｅｌｌ(Ｓｅｃｏｎｄａｒｙ Ｃｅｌｌ)若しくはＰｃｅｌｌ及びＳＣｅｌｌの両者の上にスケジュールされたＰＵＳＣＨ(Ｐｈｙｓｉｃａｌ Ｕｐｌｉｎｋ Ｓｈａｒｅｄ Ｃｈａｎｎｅｌ)を送信するように構成される。配置において、前記Ｅ−ＰＤＣＣＨは、Ｅ−ＲＮＴＩ(Ｅｎｈａｎｃｅｄ Ｒａｄｉｏ Ｎｅｔｗｏｒｋ Ｔｅｍｐｏｒａｒｙ Ｉｄｅｎｔｉｆｉｅｒ)を含み、前記方法は、前記Ｅ−ＲＮＴＩをリリース１１対応ＵＥへ割り当てることを含む。また、前記ＵＥに対する新たなＤＣＩ(ｄｏｗｎｌｉｎｋ ｃｏｎｔｒｏｌ ｉｎｆｏｒｍａｔｉｏｎ)がＰＤＣＣＨ上でガイドＰＤＣＣＨの形式で送信され得て、前記ＵＥは、前記割り当てられたＥ−ＲＮＴＩを伴う又は伴わない前記ＰＤＳＣＨを受信するよう構成される。
【００１９】
実施形態にて、前記方法は、プライマリキャリア成分の共通サーチ空間にて、前記ＵＥが前記ＬＴＥ無線通信システムのプライマリキャリア成分及び／又はセカンダリキャリア成分上の前記少なくとも一つの割り当てられたＰＲＢ(Ｐｈｙｓｉｃａｌ Ｒｅｓｏｕｒｃｅ Ｂｌｏｃｋ)で前記少なくとも一つのＥ−ＰＤＣＣＨをデコードするためのＥ−ＤＣＩ(ｅｎｈａｎｃｅｄ ｄｏｗｎｌｉｎｋ ｃｏｎｔｒｏｌ ｉｎｆｏｒｍａｔｉｏｎ)を含むガイドＰＤＣＣＨを、マッピングすることをさらに含む。当該実施形態において、前記ＵＥは、前記ガイドＰＤＣＣＨを検出し、前記ガイドＰＤＣＣＨ上でのＥ−ＤＣＩデコーディングを行って、前記ＵＥを前記ＬＴＥ無線通信システム上で前記ｅＮｏｄｅＢとデータ通信可能に設定するためのＥ−ＰＤＣＣＨを受信する。
【００２０】
実施形態において、前記ガイドＰＤＣＣＨは、割当Ｅ−ＲＮＴＩ(Ｅｎｈａｎｃｅｄ Ｄｅｄｉｃａｔｅｄ Ｃｈａｎｎｅｌ Ｒａｄｉｏ Ｎｅｔｗｏｒｋ Ｔｅｍｐｏｒａｒｙ Ｉｄｅｎｔｉｆｉｅｒ)でスクランブルされたＣＲＣ(Ｃｙｃｌｉｃ Ｒｅｄｕｎｄａｎｃｙ Ｃｈｅｃｋ)を含む。
【００２１】
実施形態において、前記方法は、前記Ｅ−ＲＮＴＩを、前記ＬＴＥ無線通信システムにおけるＬＴＥリリース１１対応ＵＥへ割り当てることをさらに含む。一の配置において、前記方法は、前記ＬＴＥリリース１１対応ＵＥをＣ−ＲＮＴＩ(Ｃｅｌｌ Ｒａｄｉｏ Ｎｅｔｗｏｒｋ Ｔｅｍｐｏｒａｒｙ Ｉｄｅｎｔｉｆｉｅｒ)へ割り当てると共に、前記Ｅ−ＲＮＴＩをこれに割り当て、以て前記ＬＴＥリリース１１対応ＵＥに、前記受信したＤＣＩに基づき、結合された１以上のＰＤＳＣＨ(Ｐｈｙｓｉｃａｌ Ｄｏｗｎｌｉｎｋ Ｓｈａｒｅｄ Ｃｈａｎｎｅｌ)及び／又はＰＵＳＣＨ(Ｐｈｙｓｉｃａｌ Ｕｐｌｉｎｋ Ｓｈａｒｅｄ Ｃｈａｎｎｅｌ)を受信且つデコードさせる、ことをさらに含む。他の実施形態において、前記方法は、前記ＬＴＥリリース１１対応ＵＥをＣ−ＲＮＴＩ(Ｃｅｌｌ Ｒａｄｉｏ Ｎｅｔｗｏｒｋ Ｔｅｍｐｏｒａｒｙ Ｉｄｅｎｔｉｆｉｅｒ)へ割り当てる一方、前記Ｅ−ＲＮＴＩをこれには割り当てず、以て前記ＬＴＥリリース１１対応ＵＥに、前記ＬＴＥ無線通信システムにおける従来ＵＥと同様にして、結合された１以上のＰＤＳＣＨ(Ｐｈｙｓｉｃａｌ Ｄｏｗｎｌｉｎｋ Ｓｈａｒｅｄ Ｃｈａｎｎｅｌ)及び／又はＰＵＳＣＨ(Ｐｈｙｓｉｃａｌ Ｕｐｌｉｎｋ Ｓｈａｒｅｄ Ｃｈａｎｎｅｌ)を受信且つデコードさせる、ことをさらに含む。
【００２２】
本発明の他の態様においては、ＬＴＥ(Ｌｏｎｇ Ｔｅｒｍ Ｅｖｏｌｕｔｉｏｎ)無線通信システム上でｅＮｏｄｅＢとデータ通信するＵＥ(Ｕｓｅｒ Ｅｑｕｉｐｍｅｎｔ)が提供される。前記ＵＥは、コントローラを含む。前記コントローラは、前記ＵＥを前記ＬＴＥ無線通信システム上で前記ｅＮｏｄｅＢとデータ通信可能に設定するための制御情報を含む少なくとも一つのＥ−ＰＤＣＣＨ(Ｅｎｈａｎｃｅｄ Ｐｈｙｓｉｃａｌ Ｄｏｗｎｌｉｎｋ Ｃｏｎｔｒｏｌ Ｃｈａｎｎｅｌ)を受信するよう構成される。前記少なくとも一つのＥ−ＰＤＣＣＨは、少なくとも一つの割り当てられたＰＲＢ(Ｐｈｙｓｉｃａｌ Ｒｅｓｏｕｒｃｅ Ｂｌｏｃｋ)へマッピングされる。また、前記コントローラは、前記制御情報に基づき、前記ＵＥを前記ＬＴＥ無線通信システム上で前記ｅＮｏｄｅＢとデータ通信可能に設定するよう構成される。
【００２３】
本発明の更なる他の態様においては、無線通信システム上で制御情報をＵＥ（ｕｓｅｒ ｅｑｕｉｐｍｅｎｔ）へ提供する基地局において実施される方法が提供される。この方法は、前記制御情報を含むＥ−ＰＤＣＣＨ（ｅｎｈａｎｃｅｄ ｐｈｙｓｉｃａｌ ｄｏｗｎ ｌｉｎｋ ｃｏｎｔｒｏｌ ｃｈａｎｎｅｌ）をスクランブルし、前記Ｅ−ＰＤＣＣＨを変調し、前記Ｅ−ＰＤＣＣＨを、割り当てられたＰＲＢ（ｐｈｙｓｉｃａｌ ｒｅｓｏｕｒｃｅ ｂｌｏｃｋ）へマッピングし、前記Ｅ−ＰＤＣＣＨを前記ＵＥへ送信する、ことを含む。前記ＵＥは、前記制御情報に従って、前記無線通信システム上で通信する。
【００２４】
この方法においては、局所型の伝送及び分散型の伝送の両者が、前記Ｅ−ＰＤＣＣＨに対しサポートされても良い。
【００２５】
この方法において、前記Ｅ−ＰＤＣＣＨは、局所型且つ分散型の伝送のために、前記割り当てられたＰＲＢへマッピングされても良い。
【００２６】
この方法においては、前記Ｅ−ＰＤＣＣＨを前記割り当てられたＰＲＢへマッピングすることが、動的に設定されても良い。
【００２７】
この方法において、前記動的な設定は、サブフレーム毎に行われても良い。
【００２８】
この方法は、前記無線通信システムの単一のキャリア成分を用いて、前記Ｅ−ＰＤＣＣＨを前記割り当てられたＰＲＢへマッピングする、ことをさらに含んでも良い。
【００２９】
この方法は、前記単一のキャリア成分のイントラキャリアマッピングを用いて、前記Ｅ−ＰＤＣＣＨを前記割り当てられたＰＲＢへマッピングする、ことをさらに含んでも良い。
【００３０】
この方法は、前記無線通信システムのセカンダリキャリア成分上で、前記Ｅ−ＰＤＣＣＨを前記割り当てられたＰＲＢへマッピングし、ＰＤＳＣＨ（ｐｈｙｓｉｃａｌ ｄｏｗｎ ｌｉｎｋ ｓｈａｒｅｄ ｃｈａｎｎｅｌ）及びＰＵＳＣＨ（ｐｈｙｓｉｃａｌ ｕｐｌｉｎｋ ｓｈａｒｅｄ ｃｈａｎｎｅｌ）の少なくとも一方の上で、セミクロスキャリアスケジューリングを提供する、ことをさらに含んでも良い。
【００３１】
この方法は、前記無線通信システムのプライマリキャリア成分上で、前記Ｅ−ＰＤＣＣＨを前記割り当てられたＰＲＢへマッピングし、ＰＤＳＣＨ（ｐｈｙｓｉｃａｌ ｄｏｗｎ ｌｉｎｋ ｓｈａｒｅｄ ｃｈａｎｎｅｌ）及びＰＵＳＣＨ（ｐｈｙｓｉｃａｌ ｕｐｌｉｎｋ ｓｈａｒｅｄ ｃｈａｎｎｅｌ）の少なくとも一方の上で、フルクロスキャリアスケジューリングを提供する、ことをさらに含んでも良い。
【００３２】
この方法は、前記無線通信システムのプライマリキャリア成分上で、前記Ｅ−ＰＤＣＣＨを前記割り当てられたＰＲＢへマッピングし、ＰＤＳＣＨ（ｐｈｙｓｉｃａｌ ｄｏｗｎ ｌｉｎｋ ｓｈａｒｅｄ ｃｈａｎｎｅｌ）及びＰＵＳＣＨ（ｐｈｙｓｉｃａｌ ｕｐｌｉｎｋ ｓｈａｒｅｄ ｃｈａｎｎｅｌ）の少なくとも一方の上で、イントラキャリア且つクロスキャリアスケジューリングを提供する、ことをさらに含んでも良い。
【００３３】
この方法は、複数のＥ−ＰＤＣＣＨを、前記無線通信システムのプライマリキャリア成分及びセカンダリキャリア成分へマッピングし、ＰＤＳＣＨ（ｐｈｙｓｉｃａｌ ｄｏｗｎ ｌｉｎｋ ｓｈａｒｅｄ ｃｈａｎｎｅｌ）及びＰＵＳＣＨ（ｐｈｙｓｉｃａｌ ｕｐｌｉｎｋ ｓｈａｒｅｄ ｃｈａｎｎｅｌ）の少なくとも一方の上で、イントラキャリア且つクロスキャリアスケジューリングを提供する、ことをさらに含んでも良い。
【００３４】
この方法は、前記ＵＥ用のＥ−ＤＣＩ（ｅｎｈａｎｃｅｄ ｄｏｗｎｌｉｎｋ ｃｏｎｔｒｏｌ ｉｎｆｏｒｍａｔｉｏｎ）を含むガイドＰＤＣＣＨを、プライマリキャリア成分の共通サーチ空間中にマッピングする、ことをさらに含んでも良い。この場合、前記ＵＥは、前記無線通信システムのプライマリキャリア成分及びセカンダリキャリア成分の少なくとも一方の上で、前記割り当てられたＰＲＢ上の前記Ｅ−ＰＤＣＣＨをデコードする。
【００３５】
この方法において、前記ガイドＰＤＣＣＨは、ＣＲＣ（ｃｙｃｌｉｃ ｒｅｄｕｎｄａｎｃｙ ｃｈｅｃｋ）を含んでも良い。この場合、前記ＣＲＣは、割り当てられたＥ−ＲＮＴＩ（ｅｎｈａｎｃｅｄ ｄｅｄｉｃａｔｅｄ ｃｈａｎｎｅｌ ｒａｄｉｏ ｎｅｔｗｏｒｋ ｔｅｍｐｏｒａｒｙ ｉｄｅｎｔｉｆｉｅｒ）を用いてスクランブルされる。
【００３６】
この方法は、前記Ｅ−ＲＮＴＩを、前記無線通信システム内のＵＥへ割り当てる、ことをさらに含んでも良い。
【００３７】
この方法は、Ｃ−ＲＮＴＩ（ｃｅｌｌ ｒａｄｉｏ ｎｅｔｗｏｒｋ ｔｅｍｐｏｒａｒｙ ｉｄｅｎｔｉｆｉｅｒ）を前記ＵＥへ割り当て、前記Ｅ−ＲＮＴＩを前記ＵＥへ割り当てる、ことをさらに含む。この場合、前記ＵＥは、ＰＤＳＣＨ（ｐｈｙｓｉｃａｌ ｄｏｗｎｌｉｎｋ ｓｈａｒｅｄ ｃｈａｎｎｅｌ）及びＰＵＳＣＨ（ｐｈｙｓｉｃａｌ ｕｐｌｉｎｋ ｓｈａｒｅｄ ｃｈａｎｎｅｌ）の少なくとも一方を受信すると共に、前記ＤＣＩに従って、前記ＰＤＳＣＨ及びＰＵＳＣＨの少なくとも一方をデコードする。
【００３８】
この方法は、前記Ｅ−ＰＤＣＣＨをエンコードして、Ｅ−ＰＤＣＣＨ符号化構造を形成する、ことをさらに含んでも良い。前記エンコードは、１）前記制御情報に関するＰＤＣＣＨ符号化チェーン機能、２）前記ＰＤＣＣＨ符号化チェーン機能を向上させるための、ＣＣＥ（Ｃｏｎｔｒｏｌ Ｃｈａｎｎｅｌ Ｅｌｅｍｅｎｔ）アグリゲーション及びＥ−ＰＤＣＣＨ多重化、３）ＭＵ−ＭＩＭＯ（ｍｕｌｔｉ ｕｓｅｒ ｍｕｌｔｉｐｌｅ ｉｎｐｕｔ ｍｕｌｔｉｐｌｅ ｏｕｔｐｕｔ）に適応するためのスクランブリング、４）Ｅ−ＰＤＣＣＨスループットを改善するための高次の変調方式、５）前記Ｅ−ＰＤＣＣＨの時間及び周波数ゲインを改善するためのインタリービング、並びに、６）前記Ｅ−ＰＤＣＣＨをＤＭＲＳ（ｄｅｍｏｄｕｌａｔｉｏｎ ｒｅｆｅｒｅｎｃｅ ｓｉｇｎａｌ）及びビームフォーミングを伴って運用可能にするための、レイヤマッピング及びプリコーディング、の少なくとも一つを行うことによりなされる。
【００３９】
本発明の更なる他の態様においては、無線通信システム上で基地局から制御情報を受信するＵＥ（ｕｓｅｒ ｅｑｕｉｐｍｅｎｔ）において実施される方法が提供される。この方法は、Ｅ−ＰＤＣＣＨ（ｅｎｈａｎｃｅｄ ｐｈｙｓｉｃａｌ ｄｏｗｎ ｌｉｎｋ ｃｏｎｔｒｏｌ ｃｈａｎｎｅｌ）を前記基地局から受信し、前記制御情報に従って、前記無線通信システム上で通信する、ことを含む。前記Ｅ−ＰＤＣＣＨは、前記制御情報を含み、前記Ｅ−ＰＤＣＣＨは、前記基地局によって、スクランブル且つ変調されると共に、前記基地局によって、割り当てられたＰＲＢ（ｐｈｙｓｉｃａｌ ｒｅｓｏｕｒｃｅ ｂｌｏｃｋ）へマッピングされる。
【００４０】
この方法においては、局所型の伝送及び分散型の伝送の両者が、前記Ｅ−ＰＤＣＣＨに対しサポートされても良い。
【００４１】
この方法において、前記Ｅ−ＰＤＣＣＨは、局所型且つ分散型の伝送のために、前記割り当てられたＰＲＢへマッピングされても良い。
【００４２】
本発明の更なる他の態様においては、制御情報を基地局からＵＥ（ｕｓｅｒ ｅｑｕｉｐｍｅｎｔ）へ提供する無線通信システムにおいて実施される方法が提供される。この方法は、前記制御情報を含むＥ−ＰＤＣＣＨ（ｅｎｈａｎｃｅｄ ｐｈｙｓｉｃａｌ ｄｏｗｎ ｌｉｎｋ ｃｏｎｔｒｏｌ ｃｈａｎｎｅｌ）をスクランブルし、前記Ｅ−ＰＤＣＣＨを変調し、前記Ｅ−ＰＤＣＣＨを、割り当てられたＰＲＢ（ｐｈｙｓｉｃａｌ ｒｅｓｏｕｒｃｅ ｂｌｏｃｋ）へマッピングし、前記Ｅ−ＰＤＣＣＨを、前記基地局から前記ＵＥへ送信し、前記制御情報に従って、前記無線通信システム上で通信する、ことを含む。
【００４３】
この方法においては、局所型の伝送及び分散型の伝送の両者が、前記Ｅ−ＰＤＣＣＨに対しサポートされても良い。
【００４４】
この方法において、前記Ｅ−ＰＤＣＣＨは、局所型且つ分散型の伝送のために、前記割り当てられたＰＲＢへマッピングされても良い。
【００４５】
本発明の更なる他の態様においては、無線通信システム上で制御情報をＵＥ（ｕｓｅｒ ｅｑｕｉｐｍｅｎｔ）へ提供する基地局が提供される。この基地局は、前記制御情報を含むＥ−ＰＤＣＣＨ（ｅｎｈａｎｃｅｄ ｐｈｙｓｉｃａｌ ｄｏｗｎ ｌｉｎｋ ｃｏｎｔｒｏｌ ｃｈａｎｎｅｌ）をスクランブルするスクランブリング部と、前記Ｅ−ＰＤＣＣＨを変調する変調部と、前記Ｅ−ＰＤＣＣＨを、割り当てられたＰＲＢ（ｐｈｙｓｉｃａｌ ｒｅｓｏｕｒｃｅ ｂｌｏｃｋ）へマッピングするマッピング部と、前記Ｅ−ＰＤＣＣＨを前記ＵＥへ送信する送信機と、を備える。前記ＵＥは、前記制御情報に従って、前記無線通信システム上で通信する。
【００４６】
この基地局においては、局所型の伝送及び分散型の伝送の両者が、前記Ｅ−ＰＤＣＣＨに対しサポートされても良い。
【００４７】
この基地局において、前記Ｅ−ＰＤＣＣＨは、局所型且つ分散型の伝送のために、前記割り当てられたＰＲＢへマッピングされても良い。
【００４８】
本発明の更なる他の態様においては、無線通信システム上で基地局から制御情報を受信するＵＥ（ｕｓｅｒ ｅｑｕｉｐｍｅｎｔ）が提供される。このＵＥは、Ｅ−ＰＤＣＣＨ（ｅｎｈａｎｃｅｄ ｐｈｙｓｉｃａｌ ｄｏｗｎ ｌｉｎｋ ｃｏｎｔｒｏｌ ｃｈａｎｎｅｌ）を前記基地局から受信する受信部と、前記制御情報に従って、前記無線通信システム上で通信するコントローラと、を備える。前記Ｅ−ＰＤＣＣＨは、前記制御情報を含み、前記Ｅ−ＰＤＣＣＨは、前記基地局によって、スクランブル且つ変調されると共に、前記基地局によって、割り当てられたＰＲＢ（ｐｈｙｓｉｃａｌ ｒｅｓｏｕｒｃｅ ｂｌｏｃｋ）へマッピングされる。
【００４９】
このＵＥにおいては、局所型の伝送及び分散型の伝送の両者が、前記Ｅ−ＰＤＣＣＨに対しサポートされても良い。
【００５０】
このＵＥにおいて、前記Ｅ−ＰＤＣＣＨは、局所型且つ分散型の伝送のために、前記割り当てられたＰＲＢへマッピングされても良い。
【発明の効果】
【００５１】
本発明によれば、上述した要件の少なくとも一つを満たすことが可能である。
【図面の簡単な説明】
【００５２】
【図１】図１は、本発明の実施形態に係るＬＴＥ(Ｌｏｎｇ Ｔｅｒｍ Ｅｖｏｌｕｔｉｏｎ)無線通信システムの概略図である。
【図２】図２は、本発明の実施形態に係る、シングルキャリア又はイントラキャリアマッピングを含むＥ−ＰＤＣＣＨマッピングを示すＰｃｅｌｌ(Ｐｒｉｍａｒｙ ｃｅｌｌ)のグラフ図である。
【図３】図３は、本発明の実施形態に係る、ＰＤＳＣＨ及び／又はＰＵＳＣＨのフルクロスキャリアスケジューリングを提供するための、Ｐｃｅｌｌ(Ｐｒｉｍａｒｙ ｃｅｌｌ)上でのＥ−ＰＤＣＣＨマッピングを示すＰｃｅｌｌ及びＳｃｅｌｌ(Ｓｅｃｏｎｄａｒｙ ｃｅｌｌ)のグラフ図である。
【図４】図４は、本発明の実施形態に係る、ＰＤＳＣＨ及び／又はＰＵＳＣＨのセミクロスキャリアスケジューリングを提供するための、Ｓｃｅｌｌ(Ｓｅｃｏｎｄａｒｙ ｃｅｌｌ)上でのＥ−ＰＤＣＣＨマッピングを示すＰｃｅｌｌ(Ｐｒｉｍａｒｙ ｃｅｌｌ)及びＳｃｅｌｌのグラフ図である。
【図５】図５は、本発明の実施形態に係る、ＰＤＳＣＨ及び／又はＰＵＳＣＨのイントラキャリアスケジューリング及びクロスキャリアスケジューリングの組合せを提供するための、Ｐｃｅｌｌ(Ｐｒｉｍａｒｙ ｃｅｌｌ)上でのＥ−ＰＤＣＣＨマッピングを示すＰｃｅｌｌ及びＳｃｅｌｌ(Ｓｅｃｏｎｄａｒｙ ｃｅｌｌ)のグラフ図である。
【図６】図６は、本発明の実施形態に係る、ＰＤＳＣＨ及び／又はＰＵＳＣＨのイントラキャリアスケジューリング及びクロスキャリアスケジューリングの組合せを提供するための、Ｐｃｅｌｌ(Ｐｒｉｍａｒｙ ｃｅｌｌ)及びＳｃｅｌｌ(Ｓｅｃｏｎｄａｒｙ ｃｅｌｌ)上でのＥ−ＰＤＣＣＨマッピングを示すＰｃｅｌｌ及びＳｃｅｌｌのグラフ図である。
【図７】図７は、本発明の実施形態に係るＥ−ＰＤＣＣＨのエンコーディングを示すフローチャートである。
【図８Ａ】図８Ａは、本発明の実施形態に係る、ＬＴＥシステムにアクセスし且つＥ−ＰＤＣＣＨを受信するＵＥを示すフローチャートである。
【図８Ｂ】図８Ｂは、本発明の実施形態に係る、ＬＴＥシステムにアクセスし且つＥ−ＰＤＣＣＨを受信するＵＥを示すフローチャートである。
【発明を実施するための形態】
【００５３】
本発明の実施形態を、ほんの一例として、図面を参照して説明する。
【００５４】
実施形態によれば、図１に示すようなＬＴＥ無線通信システム１０が提供される。実施形態において、システム１０は、ＬＴＥリリース１１を含み、基地局(ｅＮｏｄｅＢ) １１及び少なくとも一つのＵＥ(Ｕｓｅｒ Ｅｑｕｉｐｍｅｎｔ) １３を含むＭＩＭＯ(ｍｕｌｔｉｐｌｅ ｉｎｐｕｔ／ｍｕｌｔｉｐｌｅ ｏｕｔｐｕｔ)通信システムである。また、システム１０は、ＣＳＩ−ＲＳ(Ｃｈａｎｎｅｌ Ｓｔａｔｅ Ｉｎｆｏｒｍａｔｉｏｎ Ｒｅｆｅｒｅｎｃｅ Ｓｉｇｎａｌｓ)を含む。このＣＳＩ−ＲＳは、ｅＮｏｄｅＢ １１のＣＳＩ−ＲＳモジュール３６により、ＵＥ １３での使用のために、ダウンリングデータ通信の制御用にｅＮｏｄｅＢ １１へフィードバックすべきＣＳＩ(Ｃｈａｎｎｅｌ Ｓｔａｔｅ Ｉｎｆｏｒｍａｔｉｏｎ)算出を行うためのリファレンスとして設定される。また、ＭＩＭＯシステムの複数アンテナをサポートするために、ＣＲＳ(Ｃｅｌｌ−Ｓｐｅｃｉｆｉｃ Ｒｅｆｅｒｅｎｃｅ Ｓｉｇｎａｌｓ)及びＤＭＲＳ(Ｄｅｍｏｄｕｌａｔｉｏｎ Ｒｅｆｅｒｅｎｃｅ Ｓｉｇｎａｌｓ)がシステム１０により用いられ、これらのＣＲＳ及びＤＭＲＳは、ｅＮｏｄｅＢ １１のＣＲＳ ３８及びＤＭＲＳ ４０により設定される。
【００５５】
また、実施形態において、ｅＮｏｄｅＢ １１は、ＤＬ(ｄｏｗｎｌｉｎｋ)チャネル２４及びＵＬ(ｕｐｌｉｎｋ)チャネル２６上でＵＥ １３とのデータ通信を行うための複数の更なる構成要素又はモジュールを含む。これらの構成要素又はモジュールには、データを送受信するためのｅＮｏｄｅＢアンテナ２２Ａ〜２２Ｎを制御するよう配置された送信機コントローラＴＸ １２及び受信機コントローラＲＸ １４が含まれる。また、ｅＮｏｄｅＢ １１は、ＡＭＣ(Ａｄａｐｔｉｖｅ Ｍｏｄｕｌａｔｉｏｎ ａｎｄ Ｃｏｄｉｎｇ)プロセッサ１８、並びにプリコーディング及びビームフォーミングプロセッサ２０を含むベースバンド信号プロセッサ１６を含んでいる。図１からは、システム１０のＵＥ １３が、ｅＮｏｄｅＢ １１とのデータ通信を行うためのＵＥ １３の構成要素又はモジュールに関して動作するよう配置された複数のアンテナ２８Ａ〜２８Ｎを有していることも見受けられる。これらのモジュールには、ｅＮｏｄｅＢ １１とのデータ送受信を行うための受信信号プロセッサ４２及び送信信号プロセッサ４４が含まれる。
【００５６】
ＵＥ １３とｅＮｏｄｅＢ １１の間のデータ通信を制御するために、制御情報がＵＥ １３へ伝えられる。従来のＬＴＥシステムにおいては、ＰＤＣＣＨ(Ｐｈｙｓｉｃａｌ Ｄｏｗｎｌｉｎｋ Ｃｏｎｔｒｏｌ Ｃｈａｎｎｅｌ)情報が、ｅＮｏｄｅＢ １１とのアップリンク及びダウンリンクデータ通信をスケジュールするためにＵＥ １３へ送信される。実施形態においては、システム１０が、制御情報を含むＥ−ＰＤＣＣＨ(ＥｎｈａｎｃｅｄＰｈｙｓｉｃａｌ Ｄｏｗｎｌｉｎｋ Ｃｏｎｔｒｏｌ Ｃｈａｎｎｅｌ)も含めて、システム１０における従来ＵＥのための従来サポートを提供しつつ、ＰＤＣＣＨ(ｓ)のケイパビリティを拡張する。ＵＥ １３をシステム１０上でｅＮｏｄｅＢ １１とデータ通信可能に設定するためのＥ−ＰＤＣＣＨは、ｅＮｏｄｅＢ １１によりＥ−ＰＤＣＣＨエンコーディングモジュール３２にて、ＰＤＣＣＨエンコーディングモジュール２０でエンコードされたＰＤＣＣＨに沿ってエンコードされる。そして、少なくとも一つのＥ−ＰＤＣＣＨが、Ｅ−ＰＤＣＣＨマッピングモジュール３４によって少なくとも一つの割当ＰＲＢ(Ｐｈｙｓｉｃａｌ Ｒｅｓｏｕｒｃｅ Ｂｌｏｃｋ)へマッピングされると共に、ＵＥ １３へ伝えられ、以てＵＥ １３及び図示しないＵＥの各々が、システム１０上でデータ通信を行うように設定される。
【００５７】
ＵＥ １３は、Ｅ−ＰＤＣＣＨを受信し且つＵＥ １３をシステム１０上でデータ通信可能に設定するための複数の更なる構成要素を含む。使用に際して、コントローラ４１は、少なくとも一つのダウンリンクチャネル２４上でｅＮｏｄｅＢ １１から、ＰＲＢ(ｓ)へマッピングされたＥ−ＰＤＣＣＨを受信するよう設定される。また、受信信号プロセッサ４２は、Ｌ１／Ｌ２制御領域、及びＥ−ＰＤＣＣＨ／ＰＤＳＣＨ(Ｐｈｙｓｉｃａｌ Ｄｏｗｎｌｉｎｋ Ｓｈａｒｅｄ Ｃｈａｎｎｅｌ)がマッピングされたＰＲＢ(ｓ)上で送信されるＰＤＣＣＨを受信すると共に、ＰＤＣＣＨ／Ｅ−ＰＤＣＣＨ／ＰＤＳＣＨ上の制御情報を抽出するよう設定されたＰＤＣＣＨ／Ｅ−ＰＤＣＣＨ／ＰＤＳＣＨ受信モジュール４３を含み、以てコントローラ４１が、ＵＥ １３及びそのアンテナ２８Ａ、２８Ｎをシステム１０上でｅＮｏｄｅＢ １１とのデータ通信を行えるよう設定することを可能にする。
【００５８】
説明した通り、システム１０は、Ｅ−ＰＤＣＣＨを用いる従来システム(例えば、ＬＴＥリリース８、９及び１０)へ影響を及ぼすこと無くシステム容量を増加させて、制御チャネル容量の増加、周波数領域ＩＣＩＣをサポートし、制御チャネルリソースの改善された空間的再利用を達成し、ビームフォーミング及び／又はダイバシチをサポートし、新たなキャリアタイプ上且つＭＢＳＦＮサブフレームにおいて運用し、従来ＵＥと同一のキャリア上で共存し、周波数選択性をスケジュールし、セル間干渉を軽減する。本発明の実施形態において、Ｅ−ＰＤＣＣＨは、クロスキャリアスケジューリングを伴って或いは伴わずに、非キャリアアグリゲーション及びキャリアアグリゲーションを含む他の方法に係る既存の従来ＬＴＥシステムへ時間−周波数マッピングされると共に、拡張キャリア及びキャリアセグメントを含む追加のキャリアタイプへ適用可能である。
【００５９】
説明した通り、ＬＴＥ無線通信システム１０は、ｅＮｏｄｅＢ １１によりサポートされる、Ｐｃｅｌｌ(Ｐｒｉｍａｒｙ ｃｅｌｌ)及びＳＣｅｌｌ(Ｓｅｃｏｎｄａｒｙ ｃｅｌｌ)形式のキャリアを含み、Ｅ−ＰＤＣＣＨは、どのセルをＵＥによるＬ１データ通信用に用いるべきかを示す情報を含む。
【００６０】
使用に際して、ｅＮｏｄｅＢ １１のＥ−ＰＤＣＣＨマッピングモジュール３４による第１のＥ−ＰＤＣＣＨ(ｓ)マッピング方法は、Ｅ−ＰＤＣＣＨ(ｓ)を次のようにマッピングすることを含む。
−図２のアイテム(２０１)及び／若しくは(２５１)に示す如くＰｃｅｌｌ(Ｐｒｉｍａｒｙ Ｃｅｌｌ)上にスケジュールされた結合ＰＤＳＣＨ(ｓ)／ＰＵＳＣＨ(ｓ)の受信／送信並びにデコーディング／エンコーディング用のＬ１制御情報を提供するための、ＬＴＥシステムのプライマリキャリア成分又はＰｃｅｌｌ上
−ＰＲＢ(Ｐｈｙｓｉｃａｌ Ｒｅｓｏｕｒｃｅ Ｂｌｏｃｋ)毎
−時間ダイバシチの達成を目的とする同一のＰＲＢ上における、サブフレームの単一スロット上又はサブフレームの２スロットに亘って
−周波数ビームフォーミングゲイン若しくは周波数ダイバシチの達成、並びに周波数領域ＩＣＩＣのサポートを目的とする局所型又は分散型のＰＲＢグループ上
−ＰｃｅｌｌのＬ１／２制御領域によっては占有されず、以て従来ＰＤＣＣＨへの影響が無い領域中
−その各々が、同様のチャネル条件に在る特定のＵＥグループによりモニタされ且つブラインドデコードされるためのＥ−ＰＤＣＣＨ(ｓ)を搬送するＰＲＢグループ毎
−ＣＲＳ(Ｃｅｌｌ Ｒｅｆｅｒｅｎｃｅ Ｓｉｇｎａｌ)、ＰＲＳ(Ｐｏｓｉｔｉｏｎｉｎｇ Ｒｅｆｅｒｅｎｃｅ Ｓｉｇｎａｌ)、ＣＳＩ−ＲＳ(Ｃｈａｎｎｅｌ Ｓｔａｔｅ Ｉｎｆｏｒｍａｔｉｏｎ Ｒｅｆｅｒｅｎｃｅ Ｓｉｇｎａｌ)、ＰＳＳ(Ｐｒｉｍａｒｙ Ｓｙｎｃｈｒｏｎｉｓａｔｉｏｎ Ｓｉｇｎａｌ)、及びＳＳＳ(ＳｅｃｏｎｄａｒｙＳｙｎｃｈｒｏｎｉｓａｔｉｏｎ Ｓｉｇｎａｌ)のために予約されていないＲＥ(ｓ) (Ｒｅｓｏｕｒｃｅ Ｅｌｅｍｅｎｔ)上
【００６１】
また、Ｅ−ＰＤＣＣＨ(ｓ)は、サブフレームがサブフレーム０である場合、ＰＢＣＨを搬送するＰＲＢ(ｓ)中にはマッピングされず、フレーム構造がタイプ２である場合には、スペシャルサブフレームへはマッピングされないものとする。
【００６２】
ＵＥグループ向けのＥ−ＰＤＣＣＨ(ｓ)を搬送するＰＲＢグループの位置は、単一の従来ＰＤＣＣＨを介して特定のＵＥグループへガイドＰＤＣＣＨの形式で伝えられ、このガイドＰＤＣＣＨは、Ｐｃｅｌｌ制御領域内の共通サーチ空間において伝送される。このことは、図２にアイテム(２００)として示されている。Ｅ−ＰＤＣＣＨ(ｓ)を搬送する複数のＰＲＢグループが複数のＵＥグループへ向けられる場合、ガイドＰＤＣＣＨは、空間節約のために共同で符号化され得る(又は、個別に符号化され得る)。このことは、図２にアイテム(２００)及び／又は(２５０)として示されている。このマッピング方法を用いることによれば、従来ＵＥがシステム１０にて動作可能であり、物理チャネルが、リリース１１ ＬＴＥ対応ＵＥがシステム１０に存在するか否かに関わらず、Ｐｃｅｌｌにおいて通常通りマッピングされることが見受けられる。
【００６３】
ｅＮｏｄｅＢ １１のＥ−ＰＤＣＣＨマッピングモジュール３４による第２のＥ−ＰＤＣＣＨ(ｓ)マッピング方法が、図３に例示されており、フルクロスキャリアスケジューリングを伴うキャリアアグリゲーションをサポートする。この方法において、Ｅ−ＰＤＣＣＨ(ｓ)は、次のようにマッピングされる。
−ＬＴＥシステムのセカンダリキャリア成分若しくはＳｃｅｌｌ(Ｓｅｃｏｎｄａｒｙ Ｃｅｌｌ)上にスケジュールされた結合ＰＤＳＣＨ(ｓ)／ＰＵＳＣＨ(ｓ)の受信／送信並びにデコーディング／エンコーディング用のＬ１制御情報を提供するための、ＬＴＥシステムのプライマリキャリア成分又はＰｃｅｌｌ(Ｐｒｉｍａｒｙ Ｃｅｌｌ)上。これは、図３にアイテム(２５１)及び／又は(２５２)として示す如く、フルクロスキャリアスケジューリングを伴うキャリアアグリゲーションのケースである。
−ＰＲＢ(Ｐｈｙｓｉｃａｌ Ｒｅｓｏｕｒｃｅ Ｂｌｏｃｋ)毎
−時間ダイバシチの達成を目的とする同一のＰＲＢ上における、サブフレームの単一スロット上又はサブフレームの２スロットに亘って
−周波数ビームフォーミングゲイン若しくは周波数ダイバシチの達成、並びに周波数領域ＩＣＩＣのサポートを目的とする局所型又は分散型のＰＲＢグループ上
−ＰｃｅｌｌのＬ１／２制御領域によっては占有されず、以て従来ＰＤＣＣＨへの影響が無い領域中
−その各々が、同様のチャネル条件に在る特定のＵＥグループによりモニタされ且つブラインドデコードされるためのＥ−ＰＤＣＣＨ(ｓ)を搬送するＰＲＢグループ毎
−ＣＲＳ(Ｃｅｌｌ Ｒｅｆｅｒｅｎｃｅ Ｓｉｇｎａｌ)、ＰＲＳ(Ｐｏｓｉｔｉｏｎｉｎｇ Ｒｅｆｅｒｅｎｃｅ Ｓｉｇｎａｌ)、ＣＳＩ−ＲＳ(Ｃｈａｎｎｅｌ Ｓｔａｔｅ Ｉｎｆｏｒｍａｔｉｏｎ Ｒｅｆｅｒｅｎｃｅ Ｓｉｇｎａｌ)、ＰＳＳ(Ｐｒｉｍａｒｙ Ｓｙｎｃｈｒｏｎｉｓａｔｉｏｎ Ｓｉｇｎａｌ)、及びＳＳＳ(ＳｅｃｏｎｄａｒｙＳｙｎｃｈｒｏｎｉｓａｔｉｏｎ Ｓｉｇｎａｌ)のために予約されていないＲＥ(ｓ) (Ｒｅｓｏｕｒｃｅ Ｅｌｅｍｅｎｔ)上
【００６４】
また、Ｅ−ＰＤＣＣＨ(ｓ)は、サブフレームがサブフレーム０である場合、ＰＢＣＨを搬送するＰＲＢ(ｓ)中にはマッピングされず、フレーム構造がタイプ２である場合には、スペシャルサブフレームへはマッピングされない。
【００６５】
さらに、Ｅ−ＰＤＣＣＨ(ｓ)を搬送するＰＲＢグループの位置がＵＥグループへ向けられる場合、ＰＲＢは、上述した通り、単一の従来ＰＤＣＣＨを介して特定のＵＥグループへガイドＰＤＣＣＨの形式で伝えられ、ガイドＰＤＣＣＨは、図３にアイテム(２５０)として示すＰｃｅｌｌ制御領域内の共通サーチ空間において伝送される。このマッピング方法を用いることによれば、従来ＵＥがシステム１０にて動作可能であり、物理チャネルが、リリース１１ ＬＴＥ対応ＵＥがシステム１０に存在するか否かに関わらず、Ｐｃｅｌｌ及び／又はＳＣｅｌｌにおいて通常通りマッピングされることが見受けられる。
【００６６】
第３のＥ−ＰＤＣＣＨ(ｓ)マッピング方法は、セミクロスキャリアスケジューリングを伴うキャリアアグリゲーションをサポートするものであり、図４に例示されている。この方法において、Ｅ−ＰＤＣＣＨ(ｓ)は、次のようにマッピングされる。
−Ｓｃｅｌｌ(Ｓｅｃｏｎｄａｒｙ Ｃｅｌｌ)上にスケジュールされた結合ＰＤＳＣＨ(ｓ)／ＰＵＳＣＨ(ｓ)の受信／送信及びデコーディング／エンコーディング用のＬ１制御情報を提供するための、セカンダリキャリア成分又はＳＣｅｌｌ上。これは、図４にアイテム(２０１)、(２０２)、(２５１)及び(２５２)として示す如く、セミクロスキャリアスケジューリングを伴うキャリアアグリゲーションのケースである。
−ＰＲＢ(Ｐｈｙｓｉｃａｌ Ｒｅｓｏｕｒｃｅ Ｂｌｏｃｋ)毎
−時間ダイバシチの達成を目的とする同一のＰＲＢ上における、サブフレームの単一スロット上又はサブフレームの２スロットに亘って
−周波数ビームフォーミングゲイン若しくは周波数ダイバシチの達成、並びにＥ−ＰＤＣＣＨ(ｓ)上での周波数領域ＩＣＩＣのサポートを目的とする局所型又は分散型のＰＲＢグループ上
−同一のキャリア周波数で動作するピコセルのＬ１／２制御チャネルへの干渉を低減するよう特別な電力制御を伴うヘテロジニアスなネットワーク配置における、ピコセルのＬ１／２制御領域に対応する領域中
−その各々が、同様のチャネル条件に在る特定のＵＥグループによりモニタされ且つブラインドデコードされるためのＥ−ＰＤＣＣＨ(ｓ)を搬送するＰＲＢグループ毎
−ＣＲＳ(Ｃｅｌｌ Ｒｅｆｅｒｅｎｃｅ Ｓｉｇｎａｌ)、ＰＲＳ(Ｐｏｓｉｔｉｏｎｉｎｇ Ｒｅｆｅｒｅｎｃｅ Ｓｉｇｎａｌ)、ＣＳＩ−ＲＳ(Ｃｈａｎｎｅｌ Ｓｔａｔｅ Ｉｎｆｏｒｍａｔｉｏｎ Ｒｅｆｅｒｅｎｃｅ Ｓｉｇｎａｌ)、ＰＳＳ(Ｐｒｉｍａｒｙ Ｓｙｎｃｈｒｏｎｉｓａｔｉｏｎ Ｓｉｇｎａｌ)、及びＳＳＳ(ＳｅｃｏｎｄａｒｙＳｙｎｃｈｒｏｎｉｓａｔｉｏｎ Ｓｉｇｎａｌ)のために予約されていないＲＥ(ｓ) (Ｒｅｓｏｕｒｃｅ Ｅｌｅｍｅｎｔ)上
【００６７】
また、フレーム構造がタイプ２である場合、Ｅ−ＰＤＣＣＨ(ｓ)は、スペシャルサブフレームへはマッピングされない。さらに、ＵＥグループ向けのＳＣｅｌｌ上でＥ−ＰＤＣＣＨ(ｓ)を搬送するＰＲＢグループの位置は、上述した通り、単一の従来ＰＤＣＣＨを介して特定のＵＥグループへガイドＰＤＣＣＨの形式で伝えられ、ガイドＰＤＣＣＨは、図４にアイテム(２００)又は(２５０)として示すように、Ｐｃｅｌｌ制御領域内の共通サーチ空間において伝送される。Ｅ−ＰＤＣＣＨ(ｓ)を搬送する複数のＰＲＢグループが複数のＵＥグループへ向けられる場合、ガイドＰＤＣＣＨは、空間節約のために共同で符号化され得る(又は、個別に符号化され得る)。このように、従来ＵＥのためのマッピングが、リリース１１ ＬＴＥ対応ＵＥの存在如何に関わらず、Ｐｃｅｌｌ及び／又はＳＣｅｌｌにおいて通常通りに物理チャネルに対して行われる。
【００６８】
第４のＥ−ＰＤＣＣＨ(ｓ)マッピング方法は、ＰＤＳＣＨ(Ｐｈｙｓｉｃａｌ Ｄｏｗｎｌｉｎｋ Ｓｈａｒｅｄ Ｃｈａｎｎｅｌ)のイントラキャリアスケジューリング及びクロスキャリアスケジューリングの組合せを伴うキャリアアグリゲーションをサポートするものであり、図５に例示されている。この方法において、Ｅ−ＰＤＣＣＨ(ｓ)は、次のようにマッピングされる。
−Ｐｃｅｌｌ(Ｐｒｉｍａｒｙ Ｃｅｌｌ)及びＳｃｅｌｌ上にスケジュールされた結合ＰＤＳＣＨ(ｓ)／ＰＵＳＣＨ(ｓ)の受信／送信及びデコーディング／エンコーディング用のＬ１制御情報を提供するための、プライマリキャリア成分又はＰｃｅｌｌ上。これは、図５にアイテム(２０２)、(２０１)、(２５１)及び(２５２)として示す如く、イントラキャリアスケジューリング及びクロスキャリアスケジューリングの組合せを伴うキャリアアグリゲーションのケースである。
−ＰＲＢ(Ｐｈｙｓｉｃａｌ Ｒｅｓｏｕｒｃｅ Ｂｌｏｃｋ)毎
−時間ダイバシチの達成を目的とする同一のＰＲＢ上における、サブフレームの単一スロット上又はサブフレームの２スロットに亘って
−周波数ビームフォーミングゲイン若しくは周波数ダイバシチの達成、並びに周波数領域ＩＣＩＣのサポートを目的とする局所型又は分散型のＰＲＢグループ上
−ＰｃｅｌｌのＬ１／２制御領域によっては占有されず、以て従来ＰＤＣＣＨへの影響が無い領域中
−その各々が、同様のチャネル条件に在る特定のＵＥグループによりモニタされ且つブラインドデコードされるためのＥ−ＰＤＣＣＨ(ｓ)を搬送するＰＲＢグループ毎
−ＣＲＳ(Ｃｅｌｌ Ｒｅｆｅｒｅｎｃｅ Ｓｉｇｎａｌ)、ＰＲＳ(Ｐｏｓｉｔｉｏｎｉｎｇ Ｒｅｆｅｒｅｎｃｅ Ｓｉｇｎａｌ)、ＣＳＩ−ＲＳ(Ｃｈａｎｎｅｌ Ｓｔａｔｅ Ｉｎｆｏｒｍａｔｉｏｎ Ｒｅｆｅｒｅｎｃｅ Ｓｉｇｎａｌ)、ＰＳＳ(Ｐｒｉｍａｒｙ Ｓｙｎｃｈｒｏｎｉｓａｔｉｏｎ Ｓｉｇｎａｌ)、及びＳＳＳ(ＳｅｃｏｎｄａｒｙＳｙｎｃｈｒｏｎｉｓａｔｉｏｎ Ｓｉｇｎａｌ)のために予約されていないＲＥ(ｓ) (Ｒｅｓｏｕｒｃｅ Ｅｌｅｍｅｎｔ)上
【００６９】
また、Ｅ−ＰＤＣＣＨ(ｓ)は、サブフレームがサブフレーム０である場合、ＰＢＣＨを搬送するＰＲＢ(ｓ)中にはマッピングされず、フレーム構造がタイプ２である場合には、スペシャルサブフレームへはマッピングされない。ＵＥグループ向けのＳＣｅｌｌ上でＥ−ＰＤＣＣＨ(ｓ)を搬送するＰＲＢグループの位置は、上述した通り、単一の従来ＰＤＣＣＨを介して特定のＵＥグループへガイドＰＤＣＣＨの形式で伝えられ、ガイドＰＤＣＣＨは、図５にアイテム(２００)又は(２５０)として示すＰｃｅｌｌ制御領域内の共通サーチエリアにおいて伝送される。
【００７０】
第５のＥ−ＰＤＣＣＨ(ｓ)マッピング方法は、第１及び第３の方法の組合せであり、Ｅ−ＰＤＣＣＨ(ｓ)がＰｃｅｌｌ及びＳＣｅｌｌの両者へマッピングされる状態で、キャリアアグリゲーションをサポートする。このマッピング方法は、図６に例示されている。
【００７１】
上述したマッピング方法の利点は、ｅＮｏｄｅＢ １１が、自身配下のセルを動的に設定し、以てＥ−ＰＤＣＣＨマッピングモジュール３４の利用を介した、セル条件、チャネル条件及び環境へ適応するための動作においてこれらの方法全てを活用可能な点にある。また、ｅＮｏｄｅＢ １１は、上述した方法の各々をサブフレーム毎に適用することも出来る。
【００７２】
実施形態において、ＵＥ １３は、ガイドＰＤＣＣＨ及びＥ−ＰＤＣＣＨ(ｓ)を自身の高速シグナリングのためのチャネルとして用いて、Ｐｃｅｌｌ若しくはＳＣｅｌｌ、又はＰｃｅｌｌ及びＳＣｅｌｌの両者の上にスケジュールされる、ＰＤＳＣＨ(Ｐｈｙｓｉｃａｌ Ｄｏｗｎｌｉｎｋ Ｓｈａｒｅｄ Ｃｈａｎｎｅｌ)の受信及び／又はＰＵＳＣＨ(Ｐｈｙｓｉｃａｌ Ｕｐｌｉｎｋ Ｓｈａｒｅｄ Ｃｈａｎｎｅｌ)の送信をサポートするように設定される。本実施形態においては、Ｅ−ＲＮＴＩ(Ｅｎｈａｎｃｅｄ ＰＤＣＣＨ ＲＮＴＩ)がシステム１０へ導入され、ｅＮｏｄｅＢ １１が次の設定を行うことを可能にする。
−ＬＴＥリリース１１ ＵＥ(例えば、ＵＥ １３)を、従来ＵＥとして動作するよう設定
−ＬＴＥリリース１１ ＵＥを、受信したＥ−ＰＤＣＣＨに対して動作するよう設定
【００７３】
Ｅ−ＲＮＴＩは、大略、同一の多重化されたＥ−ＰＤＣＣＨ(ｓ)をモニタしてブラインドデコードするＵＥグループによって使用される。
【００７４】
さらに、上述した通り、ガイドＰＤＣＣＨがシステム１０へ導入される。ガイドＰＤＣＣＨとは、次のようなものである。
−共通サーチ空間内のＰｃｅｌｌ Ｌ１／２制御領域へマッピングされる
−Ｅ−ＲＮＴＩでスクランブルされたＣＲＣ(Ｃｙｃｌｉｃ Ｒｅｄｕｎｄａｎｃｙ Ｃｈｅｃｋ)を有する。Ｅ−ＲＮＴＩでスクランブルされたＣＲＣを有するＰＤＣＣＨの利点は、同一の制御領域及びサーチ空間で動作している従来ＵＥのフォールス・アラームを除外し、制御されるＬＴＥリリース１１ ＵＥのグループがガイドＰＤＣＣＨを正確に受信可能にし得る点にある。
−ＤＣＩ(Ｄｏｗｎｌｉｎｋ Ｃｏｎｔｒｏｌ Ｉｎｆｏｒｍａｔｉｏｎ)を、Ｅ−ＤＣＩ(Ｅｎｈａｎｃｅｄ ＤＣＩ)の形式で搬送可能である
【００７５】
Ｅ−ＤＣＩは、これに限定されるものでは無いが、下記の制御情報を含む。
−Ｅ−ＰＤＣＣＨのためのＰＲＢ(ｓ)割当及びスケジューリング情報
−Ｅ−ＰＤＣＣＨ変調方式(これに限定されるものでは無いが、ＱＰＳＫ、１６−ＱＡＭ及び６４−ＱＡＭを含む)
−Ｅ−ＰＤＣＣＨ伝送方式又はモード
−イントラキャリアＥ−ＰＤＣＣＨスケジューリング(例えば、上述した方法１、２及び４)、又はクロスキャリアＥ−ＰＤＣＣＨスケジューリング(例えば、方法３)
【００７６】
図８Ａ及び図８Ｂに、Ｅ−ＲＮＴＩが所望のＬＴＥリリース１１ ＵＥ(ｓ)へ割当可能である、従来のＬＴＥアクセス手順に関する導入点を示す。このＬＴＥアクセス手順に関し、ＬＴＥアクセス手順は下記１〜４により開始する。
１．ＵＥの電源を投入し、
２．ＵＥがセルサーチ手順を実施し、
３．ＵＥがセルシステム情報の取得を行い、そして、
４．ネットワークとのコネクションセットアップを確立する必要の無い場合、ＵＥがスリープモードに入る
【００７７】
図８Ａに示すように、コネクションセットアップ・クエリフェーズから開始され得る２つのシナリオがある。第１に、ＵＥによるコネクションセットアップが必要ならば、以下が行われる。
ａ．ＵＥは、‘Ｒａｎｄｏｍ Ａｃｃｅｓｓ Ｒｅｓｐｏｎｓｅ’フェーズにおけるＰＤＣＣＨ受信のための“Ｃｅｌｌ Ｓｙｓｔｅｍ ｉｎｆｏｒｍａｔｉｏｎ Ａｃｑｕｉｓｉｔｉｏｎ”フェーズにおいて得られるＲＡ−ＲＮＴＩを用い、ランダムアクセス手順を行う。
ｂ．ランダムアクセス手順の最終ステップ(“Ｃｏｎｔｅｎｔｉｏｎ Ｒｅｓｏｌｕｔｉｏｎ”)において、ＬＴＥリリース１１対応ＵＥは、図８Ａにアイテム(５００)として示すｅＮｏｄｅＢにより、Ｃ−ＲＮＴＩ(Ｃｅｌｌ Ｒａｄｉｏ Ｎｅｔｗｏｒｋ Ｔｅｍｐｏｒａｒｙ Ｉｄｅｎｔｉｆｉｅｒ)を割り当てられる又は促されると共に、Ｅ−ＲＮＴＩ(Ｅ−ＤＣＨ(Ｅｎｈａｎｃｅｄ Ｄｅｄｉｃａｔｅｄ Ｃｈａｎｎｅｌ) Ｒａｄｉｏ Ｎｅｔｗｏｒｋ Ｔｅｍｐｏｒａｒｙ Ｉｄｅｎｔｉｆｉｅｒ)を割り当てられる。
【００７８】
第２に、ＵＥ １３によるコネクションセットアップが必要無いならば、ＬＴＥリリース１１ ＵＥは、周期的に起床して以下を行う。
ａ．‘Ｒａｎｄｏｍ Ａｃｃｅｓｓ Ｒｅｓｐｏｎｓｅ’ステップにおけるＰＤＣＣＨ受信のための“Ｃｅｌｌ Ｓｙｓｔｅｍ ｉｎｆｏｒｍａｔｉｏｎ Ａｃｑｕｉｓｉｔｉｏｎ”フェーズにおいて得られるＰ−ＲＮＴＩを用いるページングメッセージのページングインジケーションのために、ＰＤＣＣＨをモニタする。
ｂ．ＰＤＣＣＨ上でのページングインジケーション検出に成功した際、ページングメッセージのために結合ＰＤＳＣＨを受信する。
ｃ．ＩＭＳＩ(Ｉｎｔｅｒｎａｔｉｏｎａｌ Ｍｏｂｉｌｅ Ｓｕｂｓｃｒｉｂｅｒ Ｉｄｅｎｔｉｔｙ)又はＳ−ＴＭＳＩが検出したＰＣＨ(Ｐａｇｉｎｇ Ｃｈａｎｎｅｌ)において発見された場合、ＵＥはＲＲＣコンテキスト確立を行うフェーズへ遷移し、このフェーズの間、ＬＴＥリリース１１ ＵＥは、図８Ａにアイテム(５１０)として示すｅＮｏｄｅＢにより、Ｃ−ＲＮＴＩ及びＥ−ＲＮＴＩを割り当てられる。
【００７９】
実施形態において、リリース１１ ＵＥは、受信手順に従ってＰＤＳＣＨを受信するよう設定される。図８Ｂを参照すると、Ｃ−ＲＮＴＩ及びＥ−ＲＮＴＩがＬＴＥリリース１１対応ＵＥへ割り当てられたステップから開始するＰＤＳＣＨ受信手順は、下記のステップを更に含む。Ｅ−ＲＮＴＩが割り当てられた又は促されたＣ−ＲＮＴＩと共に含まれていない場合、リリース１１対応ＵＥは、従来のＬＴＥ ＵＥと同様にしてＰＤＳＣＨ受信を行う。すなわち、次の通りである。
−リリース１１対応ＵＥは、ＵＥ固有サーチを行うと共に、Ｃ−ＲＮＴＩによりスクランブリングされたＣＲＣを用いてＰＤＣＣＨのデコーディングを行う。
−ＰＤＣＣＨが検出され且つＤＣＩが成功裏にデコードされた場合、リリース１１対応ＵＥは、図８Ｂにアイテム(５３０)として示す如く、検出したＤＣＩにおいて提供される制御情報を用いて、結合ＰＤＳＣＨの受信及びデコーディング、並びに／又は結合ＰＵＳＣＨのエンコーディング及び送信を行う。
【００８０】
一方、Ｅ−ＲＮＴＩが割当Ｃ−ＲＮＴＩと共に含まれる場合、リリース１１対応ＵＥは、ＰＤＳＣＨ受信手順を実施する。すなわち、次の通りである。
−リリース１１対応ＵＥは、共通サーチを行うと共に、Ｅ−ＲＮＴＩによりスクランブルされたＣＲＣを用いてガイドＰＤＣＣＨのデコードを行う。
−ガイドＰＤＣＣＨの検出に成功した際、リリース１１対応ＵＥは、受信における制御情報のため且つＥ−ＰＤＣＣＨ(ｓ)のデコーディングのためのＥ−ＤＣＩをデコードする。
−リリース１１対応ＵＥは、Ｃ−ＲＮＴＩでスクランブルされたＣＲＣを用いてＥ−ＰＤＣＣＨの受信及びブラインドデコーディングを行う。Ｅ−ＰＤＣＣＨ(ｓ)の受信は、Ｐｃｅｌｌ上又はＳＣｅｌｌ上のいずれか一方でなされ得て、リリース１１対応ＵＥは、このことをガイドＰＤＣＣＨを介してｅＮｏｄｅＢから伝えられる。
−Ｅ−ＰＤＣＣＨが検出され且つＤＣＩが成功裏にデコードされた場合、リリース１１対応ＵＥは、検出したＤＣＩにおいて提供される制御情報を用いて、結合ＰＤＳＣＨの受信及びデコーディング、並びに／又は結合ＰＵＳＣＨのエンコーディング及び送信を行う。
【００８１】
さらに、当業者にとっては当然のことながら、Ｅ−ＰＤＣＣＨ(ｓ)は、変調方式、伝送方式及びＰＲＢ(ｓ)割当といった表現でリンク適応されるものとする。
【００８２】
実施形態において、Ｅ−ＰＤＣＣＨ符号化構造は、システム１０が、高次変調、マルチレイヤ及びＭＵ−ＭＩＭＯ(Ｍｕｌｔｉ Ｕｓｅｒ ＭＩＭＯ)モードの動作、マルチレイヤマッピング及びプリコーディング、並びにＤＭＲＳ(Ｄｅｍｏｄｕｌａｔｉｏｎ Ｒｅｆｅｒｅｎｃｅ Ｓｉｇｎａｌ)に関連した非コードブック準拠のプリコーディングを達成することを可能にする。
【００８３】
図７に関し、Ｅ−ＰＤＣＣＨ符号化構造の形成方法が示されている。Ｅ−ＰＤＣＣＨ符号化構造は、次の機能１〜６又は一群の機能を用いて形成される。
１．ＣＲＣアタッチメント、チャネルコーディング及びレートマッチングを含む従来のＰＤＣＣＨ符号化チェーン機能(３００)：従来のレートマッチングに対する僅かな変更のみが、(限定されるものでは無いが、１６−ＱＡＭ及び６４−ＱＡＭを含む)高次の変調方式並びにマルチレイヤを考慮して行われることが見受けられる。
２．ＣＣＥアグリゲーション及びＥ−ＰＤＣＣＨ多重化(３２０)：この機能は、従来ＰＤＣＣＨを強化するものであり、同様のチャネル条件、環境下に在るＵＥのグループに属し、及び／又はビーム格子内の特定のビームに属するＥ−ＰＤＣＣＨのみが共に多重化されるべきことを提供する。
３．スクランブリング(３４０)：ＣＣＥアグリゲーション及びＥ−ＰＤＣＣＨ多重化機能からの出力ブロックビットストリームは、次の式に従ってスクランブルされるものとする。
【数１】
0005601434.tif 000002
ここで、上記の式中、ｑは次式を満たし、
【数２】
0005601434.tif 000003
１コードワード伝送、すなわちＳＵ−ＭＩＭＯの場合は、次式が成立し、
【数３】
0005601434.tif 000004
次式の項は、３ＧＰＰ仕様ＴＳ ３６．２１１の章７．２で規定され、
【数４】
0005601434.tif 000005
スクランブリング系列の発生器は、各サブフレームの開始時に初期化されるものとする。
ここで、初期化値Ｃinitは、次式の通りである。
【数５】
0005601434.tif 000006
４．変調機能(３６０)：この機能は、１６−ＱＡＭ又は６４−ＱＡＭ等の高次の変調方式に適応するよう変更される。
５．インタリービング：この機能は、各Ｅ−ＰＤＣＣＨを割当ＰＲＢ(ｓ)へマッピングされる場合に同様の時間及び周波数ダイバシチゲインとすべく、
シンボルレベルのブロックインタリービングを行う。
６．レイヤマッピング及びプリコーディング：この機能は、３ＧＰＰ仕様ＴＳ ３６．２１１の章６．３．３及び６．３．４に規定される従来ＰＤＳＣＨから受け継がれるものである。
【００８４】
図８Ａ及び図８Ｂに戻って、実施形態においては、ＬＴＥ無線通信システム上でｅＮｏｄｅＢとデータ通信するＵＥが、ｅＮｏｄｅＢからの制御情報を含むＥ−ＰＤＣＣＨ(ｓ)を受信するよう構成されていることが見受けられる。本図に示す実施形態において、ＵＥは、ガイドＰＤＣＣＨを検出し、ガイドＰＤＣＣＨ上でＥ−ＤＣＩデコーディングを行って、ＵＥをＬＴＥ無線通信システム上でｅＮｏｄｅＢとデータ通信可能に設定するためのＥ−ＰＤＣＣＨを受信する。そして、ＵＥは、ｅＮｏｄｅＢとのデータ通信を行うためのアップリンク及びダウンリンクチャネルを設定し、以てｅＮｏｄｅＢとのデータ送受信を行うことができる。
【００８５】
当然のことながら、前述した部分には、本発明の範囲を逸脱すること無く様々な変更、追加及び／又は改良が成されても良いし、上記の教示を考慮すると、本発明は、ソフトウェア、ファームウェア及び／又はハードウェアにおいて、当業者によって理解され得る種々の方法で実施されても良い。
【００８６】
本明細書に含まれる文書、行為、材料、装置、用品等についての議論は、本発明の内容を提供することのみを目的としている。これらの事項の何れか又は全ては、従来技術の一部を形成する、或いは本願の各請求項の優先日以前に存在した本発明の関連分野において周知であったことを示唆又は意味するものでは無い。
【００８７】
本明細書の説明及び請求項を通して、“備える”との文言及び“備え”といった文言の変化は、他の付加物、構成要素、整数値又はステップを除外することを意図するものでは無い。
【００８８】
この出願は、２０１１年１２月２日に出願されたオーストラリア国仮特許出願第２０１１９０５０３４号を基礎とする優先権を主張し、その開示の全てをここに取り込む。
【産業上の利用可能性】
【００８９】
本発明は、ＬＴＥ無線通信システム上でｅＮｏｄｅＢとデータ通信するＵＥに対して制御情報を提供する方法に適用され、特に、ＵＥをＬＴＥ無線通信システム上でｅＮｏｄｅＢとデータ通信できるよう設定するために、Ｅ−ＰＤＣＣＨを用いる用途に適用される。
【符号の説明】
【００９０】
１０  ＬＴＥ無線通信システム
１１  ｅＮｏｄｅＢ
１２  送信機コントローラ
１３  ＵＥ
１４  受信機コントローラ
１６  ベースバンド信号プロセッサ
１８  ＡＭＣプロセッサ
２０  プリコーディング・ビームフォーミングプロセッサ
２２Ａ〜２２Ｎ, ２８Ａ〜２８Ｎ  アンテナ
２４  ＤＬチャネル
２６  ＵＬチャネル
３０  ＰＤＣＣＨエンコーディングモジュール
３２  Ｅ−ＰＤＣＣＨエンコーディングモジュール
３４  Ｅ−ＰＤＣＣＨマッピングモジュール
３６  ＣＳＩ−ＲＳモジュール
３８  ＣＲＳ
４０  ＤＭＲＳ
４１  コントローラ
４２  受信信号プロセッサ
４３  ＰＤＣＣＨ／Ｅ−ＰＤＣＣＨ／ＰＤＳＣＨ受信モジュール
４４  送信信号プロセッサ
【要約】
無線通信システム(１０)上で制御情報をＵＥ(１３)へ提供する基地局(１１)において実施される方法を提供する。この方法は、前記制御情報を含むＥ−ＰＤＣＣＨをスクランブリングし(３２)、前記Ｅ−ＰＤＣＣＨを変調し、前記Ｅ−ＰＤＣＣＨを割り当てられたＰＲＢへマッピングし(３４)、前記Ｅ−ＰＤＣＣＨを前記ＵＥ(１３)へ送信する(１２)ことを含む。前記ＵＥ(１３)は、前記制御情報に従って、前記無線通信システム(１０)上で通信する。
【選択図】図１【図１】
0005601434.tif 000007
【図２】
0005601434.tif 000008
【図３】
0005601434.tif 000009
【図４】
0005601434.tif 000010
【図５】
0005601434.tif 000011
【図６】
0005601434.tif 000012
【図７】
0005601434.tif 000013
【図８Ａ】
0005601434.tif 000014
【図８Ｂ】
0005601434.tif 000015